(57)【要約】      （修正有）【課題】内部に発生した湿った空気を外に排出でき、防火性を具え、壊れ難い骨壷を提供する。【解決手段】多角形で上端に蓋体１４を設けてなる外壷１１と、外壷の内部に設けられ、上端に内蓋を設けてなる内壷１２とを具えてなり、外壷と内壷との間に換気空間を形成し、外壷は柱と、板１１２と、底板１５とを組み合わせてなり、板は柱と柱との間に挿入して設け、底板は柱を位置決めするために供し、該柱の上方には蓋体を設ける。【選択図】図１
0003117492.tif 000002
【実用新案登録請求の範囲】
【請求項１】
多角形で上端に蓋体を設けてなる外壷と、
外壷の内部に設けられ、上端に内蓋を設けてなる内壷とを具えてなり、
外壷と内壷との間に換気空間を形成し、外壷は柱と、板と、底板とを組み合わせてなり、板は柱と柱との間に挿入して設け、底板は柱を位置決めするために供し、該柱の上方には蓋体を設けるために供することを特徴とする骨壷。
【請求項２】
前記外壷の柱は、両側に溝を形成し、柱と板とを接続するために板の長手方向端縁部を溝に挿入することを特徴とする請求項１に記載する骨壷。
【請求項３】
前記柱の両側に形成する溝は、溝の間に６０度の内角が形成されるように設けられ、該内角により内壷が位置決めされ、外壷と内壷が６角形を呈するように形成されることを特徴とする請求項２に記載する骨壷。
【請求項４】
前記柱の両側に形成する溝は、溝の間に９０度の内角が形成されるように設けられることを特徴とする請求項２に記載する骨壷。
【請求項５】
前記柱は、上端、底端にそれぞれ突起が設けられ、蓋体、底板には該突起に対応する位置に孔が設けられているため、突起を孔に挿入し、底板に設けられた位置決め溝に板の底部を挿入することを特徴とする請求項１に記載する骨壷。
【考案の詳細な説明】
【技術分野】
【０００１】
この考案は、骨壷に関し、特に亡くなった人の骨を納め、納骨堂もしくは墓で骨を保管する骨壷に関する。
【背景技術】
【０００２】
人が亡くなると土葬、火葬、海洋葬などの葬儀が行われる。台湾においては土葬や火葬がよく行われている。土葬の場合、土葬した数年後に再度、墓を掘り起こし、骨を拾って、遺骨を骨壷に納めるか、もしくは遺骨を焼却してから遺灰を骨壷に納める。火葬の場合には直接遺体を焼却後、遺灰を骨壷内に納める。このように、葬儀に関して骨壷を利用する機会は非常に多い。
【０００３】
しかしながら、一般に骨壷は石材、陶器、クリスタルなどを材料として形成されているため、人に与える印象が味気なく、骨壷に触ると冷たいため、温かみが感じられない。
【０００４】
また、中国人は風水や遺灰の保存に気を使う。これは遺灰の保管方法が悪いため遺灰が湿気、変色、孔から散乱する、などすると、子孫が事故に遭遇したり、事故に巻き込まれるなどにつながると信じられているためである。
【０００５】
しかし、納骨堂のほとんどが郊外もしくは山間部に設けられているため、昼夜の温度差が激しく露の発生をふせぐことができず、石材、陶器、クリスタルなどを材料として形成された骨壷は空気中に湿気が容易に発生し、遺灰が湿気る。また、１重構造の骨壷は、湿気を抑えることができなくて遺灰が湿気るため、業者が密封式の骨壷を製造した。
【０００６】
密封式の骨壷は、蓋が骨壷を密封するため、骨壷中に空気が入り難く、乾燥した状態を保つことができるが、骨壷の内部に残留した湿気を外へ排出することができないとともに、昼夜の温度差が激しい場合、露が骨壷の中に染み込み、遺灰が湿気るためあまり良い効果が得られない。このため、業者は外壷と内壷からなり、防湿、防火性、もしくは密封可能な蓋を具えた２重構造の骨壷を製造した。
【０００７】
しかしながら、該２重構造の骨壷内部にも、空気が残留しているため湿気があり、昼夜の温度差により発生する露を排出することができないため、遺灰が湿気ることを防ぐことができない。
【０００８】
また、従来の木製の骨壷は温かみを具えているが、１重構造のため、防火、防湿の効果がなく、遺灰が湿気てしまう。
【考案の開示】
【考案が解決しようとする課題】
【０００９】
従来の骨壷は１重構造で石材、陶器、クリスタルなどを材料から形成され、内部に湿気が発生し易い、壊れやすい、地震などが発生した場合などに遺灰が壷から散乱するなどの問題がある。また、１層、２層の構造に密封式の蓋を設けても内部に残留した空気が湿気た場合に湿気を外へ排出できないなどで遺灰が湿気るという問題が解決できない。さらに、木製の骨壷では防火、防湿の効果を得られない。
【００１０】
そこで、この考案は内部に発生した湿った空気を外に排出でき、防火性を具え、壊れ難い骨壷を提供することを課題とする。
【課題を解決するための手段】
【００１１】
そこで、本発明者は従来の技術に見られる欠点に鑑みて鋭意研究を重ねた結果、多角形で上端に蓋体を設けてなる外壷と、外壷の内部に設けられ、上端に内蓋を設けてなる内壷とを具えてなり、外壷と内壷との間に換気空間を形成し、外壷は柱と、板と、底板とを組み合わせてなり、板は柱と柱との間に挿入して設け、底板は柱を位置決めするために供し、該柱の上方には蓋体を設けるために供する骨壷の構造によって本発明の課題を解決できる点に着眼し、かかる知見に基づいて本発明を完成させた。
以下、この発明について具体的に説明する。
【００１２】
請求項１に記載する骨壷は、多角形で上端に蓋体を設けてなる外壷と、外壷の内部に設けられ、上端に内蓋を設けてなる内壷とを具えてなり、外壷と内壷との間に換気空間を形成し、外壷は柱と、板と、底板とを組み合わせてなり、板は柱と柱との間に挿入して設け、底板は柱を位置決めするために供し、該柱の上方には蓋体を設けるために供する。
【００１３】
請求項２に記載する骨壷は、請求項１における外壷の柱が、両側に溝を形成し、柱と板とを接続するために板の長手方向端縁部を溝に挿入する。
【００１４】
請求項３に記載する骨壷は、請求項２における柱の両側に形成する溝が、溝の間に６０度の内角が形成されるように設けられ、該内角により内壷が位置決めされ、外壷と内壷が６角形を呈するように形成される。
【００１５】
請求項４に記載する骨壷は、請求項２における柱の両側に形成する溝が、溝の間に９０度の内角が形成されるように設けられる。
【００１６】
請求項５に記載する骨壷は、請求項１における柱が、上端、底端にそれぞれ突起が設けられ、蓋体、底板には該突起に対応する位置に孔が設けられているため、突起を孔に挿入し、底板に設けられた溝に板の底部を挿入する。
【考案の効果】
【００１７】
この考案は、外壷と内壷の間に換気空間を形成しているため、内部にある湿度の高い空気を外へ排出するとともに、防火性、地震のときに壊れにくいという効果を有する。
【考案を実施するための最良の形態】
【００１８】
この考案は、亡くなった人の骨を納め、納骨堂もしくは墓で骨を保管する骨壷であって、多角形で上端に蓋体を設けてなる外壷と、外壷の内部に設けられ、上端に内蓋を設けてなる内壷とを具えてなり、外壷と内壷との間に換気空間を形成し、外壷は柱と、板と、底板とを組み合わせてなり、板は柱と柱との間に挿入して設け、底板は柱を位置決めするために供し、該柱の上方には蓋体を設けるために供し、内部に発生した湿った空気を外に排出でき、防火性を具え、壊れ難いという目的を達成した。
係る構成の骨壷の構造ついて、その構造と特徴を詳述するために具体的な実施例を挙げ、以下に説明する。
【実施例】
【００１９】
図１から５に開示するように、この考案の骨壷１０は、六角形を呈し、楠木を材料とする外壷１１と、内壷１２と、該外壷１１と内壷１２との間に形成される換気空間１３と、外壷１１、内壷１２の上方に設けられる蓋体１４などを含んでなる。該外壷１１は、６本の柱１１１と、６枚の板１１２と、底板１５とを組み合わせてなる。該板１１２は２本の柱１１１の間に挿設し、底板１５は柱１１１と、板１１２とを位置決めするために供し、該柱１１１は上方に蓋体１４を設けてなる。
【００２０】
該外壷１１を形成する柱１１１は両側面にそれぞれ溝１１１１を形成し、該板１１２の長手方向の端縁部を溝１１１１に挿入して柱１１１と板１１２を接続する。該柱１１１の両側面に形成される溝１１１１は、それぞれの溝１１１１により形成される内角１１１２が６０度になるように形成される。このため、該内角１１１２は内壷１２を位置決めし、蓋体１４が六角形を呈するように形成される。
【００２１】
該内壷１２は外壷１１の内部に設けられる。該内壷１２は、桐を材料として形成され、防火の効果を具えてなり、内壷１２の上端には内蓋１６が設けられる。
【００２２】
該柱１１１は上端と底端にそれぞれ突起１１１３、１１１４が形成され、蓋体１４、底板１５にはそれぞれの突起１１１３、１１１４に対応する位置に孔１４１、１５１が形成される。また、該底板１５には端縁部に位置決め溝１５２が設けられ、板１１２の底部を位置決め溝１５２内に挿入して底板１５に板１１２を設けるため、内壷１２と外壷１１の間に換気空間１３（図３、４参照）が形成される。
【００２３】
上述の組み合わせにより形成される骨壷は、組み合わせる場合、柱１１１の底部の突起１１１４を底板１５の孔１５１に挿入し、板１１２を１枚１枚、２本の柱１１１の間に挿入する。該板１１２は端縁部を溝１１１１に挿入して位置決めし、板１１２の底部が底板１５の位置決め溝１５２に挿入されて、内壷１２が外壷１１の内部に設けられる。該内壷１２のそれぞれの角は柱１１１の内角１１１２に位置するように設けられ、且つ、内角１１１２が６０度で形成されているため、安定して位置決めされ、内壷１２上端に内蓋１６を設け、最後に蓋体１４の孔１４１と柱１１１の上端部に形成された突起１１１３とを合わせて蓋体１４を外壷１１の上端に設けて組み合わせる。
【００２４】
外壷１１と内壷１２とが２重に湿気を隔絶するため、空気の湿度が高い場合（雨や夜中、朝方など露が降りる時期など）、換気空間１３が設けられているため内壷１２内部に湿気を含んだ空気が進入することを防ぐ。一方、空気の湿度が低い場合には内壷１２内部の湿気を換気空間１３から外壷１１の外部へ放出する。また、外壷１１は楠木を材料として形成しているため、外面に天然の漆を塗り、花の模様やお経、遺影などを彫刻することができ、板１１２を取り替えると図案も取り替えることができるとともに、楠木は白檀とも呼ばれ、硬くて、さわやかな匂いを放ち、通気性を具え、特殊加工により防湿、通気性を具えているため、太陽に当てる必要がなく、変形、虫食い、カビの発生を防ぎ、壊れにくい。よって、外壷１１は、換気空間１３内に湿気を外壷１１外部に排出する効果を有する。
【００２５】
また、内壷１２は桐を材料として形成し、桐の木目は垂直もしくは斜めに通り、木肌は荒く、均一で、材質は軽く、曲がったり、乾燥でひび割れることがなく、吸水性が低く、収縮性も低く、耐火性および防湿性を具え、乾燥に強く、防腐効果を具えている。よって、内壷１２は湿度の高い空気が内部に進入することを防ぎ、耐火性の効果を具えてなる。
【００２６】
この考案の骨壷は、防湿性、耐火性の効果の他に、内壷１２と外壷１１がいずれも木製であるため、ひび割れ、損壊の心配がなく、地震に強く、軽くて、冷たい印象がない。また、釘などを使用せずに組み立てることができる。
【００２７】
図６から８に、この考案の骨壷２０の他の実施例を開示する。図面によると、この考案の内壷２２と、外壷２１は方形を呈するように形成し、外壷２１と内壷２２との間には換気空間２３を形成し、該外壷２１の上方には蓋体２４を設ける。該外壷２１は４本の柱２１１と、４枚の板２１２と、底板２５とを組み合わせてなる。該柱２１１は両側にそれぞれ溝２１１１を設けてなり、板２１２の端縁部を溝２１１１に挿入して設ける。該柱２１１のそれぞれの溝２１１１により形成される内角２１１２は９０度に形成されるため、内角２１１２により内壷２２が位置決めされる。また、内壷２２の上端には内蓋２６が設けられる。該柱２１１の上端および底端にはそれぞれ突起２１１３、２１１４が設けられ、蓋体２４、底板２５には該突起２１１３，２１１４の位置に対応するように孔２４１、２５１が設けられる。該底板２５の端縁部には位置決め溝２５２が設けられ、板２１２の底部を位置決め溝２５２内に挿入して設けるため、内壷２２と外壷２１の間に換気空間２３が形成される。
【００２８】
上述の骨壷を組み合わせる場合には、柱２１１の底部の突起２１１４を底板２５の孔２５１に挿入して設け、板２１２の端縁部を柱２１１の溝２１１１内に挿入して位置決めし、板２１２の底部を底板２５の位置決め溝２５２内に設けると、内壷２２が外壷１１内に設けられ、内壷２２の角が柱２１１の内角２１１２に位置するように設けられ、安定的に位置決めされる。その後、内壷２２の上端に内蓋２６を設け、最後に蓋体２４の孔２４１と柱２１１の上端縁部の突起２１１３を合わせて接続して組み合わせを完成し、前述の実施例と同様の効果を具えてなる。
【００２９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３０】
【図１】この考案の骨壷を示した分解図である。
【図２】図１に開示する骨壷を示した斜視図である。
【図３】図１に開示する骨壷を示した断面図である。
【図４】図３に開示する骨壷をＡ−Ａ線で切断した場合を示した断面図である。
【図５】図３に開示する骨壷をＢ−Ｂ線で切断した場合を示した断面図である。
【図６】この考案の骨壷の他の実施例を示した斜視図である。
【図７】図６に開示する骨壷を示した断面図である。
【図８】図６に開示する骨壷をＣ−Ｃ線で切断した場合を示した断面図である。
【符号の説明】
【００３１】
１０      骨壷
１１      外壷
１１１    柱
１１１１  溝
１１１２  内角
１１１３  突起
１１１４  突起
１１２    板
１２      内壷
１３      換気空間
１４      蓋体
１４１    孔
１５      底板
１５１    孔
１５２    位置決め溝
１６      内蓋
２０      骨壷
２１      外壷
２１１    柱
２１１１  溝
２１１２  内角
２１１３  突起
２１１４  突起
２１２    板
２２      内壷
２３      換気空間
２４      蓋体
２４１    孔
２５      底板
２５１    孔
２５２    位置決め溝
２６      内蓋
【図１】
0003117492.tif 000003
【図２】
0003117492.tif 000004
【図３】
0003117492.tif 000005
【図４】
0003117492.tif 000006
【図５】
0003117492.tif 000007
【図６】
0003117492.tif 000008
【図７】
0003117492.tif 000009
【図８】
0003117492.tif 000010